(57)【要約】【課題】従来構成に比較して制御盤に対する収まりがよく、比較的小さい寸法の制御盤に収納することができるリモコン配線器具を提供する。【解決手段】複数個のリレーユニット６は本体ユニット１に設けた複数個のリレー取付部にそれぞれ着脱可能に装着される。本体ユニット１は、制御盤Ｃ内に取り付けられる直方体状の取付台３を有し、取付台３の前面の一辺に沿う一方向に一対のリレーユニット６が並ぶように、取付台３における前記一方向の両端面にそれぞれリレー取付部が複数個ずつ列設されている。【選択図】図１
2006333147.tif 000002
【特許請求の範囲】
【請求項１】
前面が開放された箱状の制御盤内に収納され、スイッチのオンオフ情報を含む伝送信号が信号線を通して伝送されることによりスイッチのオンオフでリレーの開閉が遠隔制御されるリモコン配線器具であって、前記信号線に電気的に接続される信号端子部を有した本体ユニットと、リレーを有し本体ユニットに設けた複数個のリレー取付部にそれぞれ着脱可能であって装着時に本体ユニットと電気的に接続される複数個のリレーユニットとを備え、本体ユニットは、制御盤内に取り付けられる直方体状の取付台を有し、取付台は、前面の一辺に沿う一方向に一対のリレー取付部が並ぶように、前記一方向の両端面である一対の取付面にリレー取付部が複数個ずつ列設されていることを特徴とするリモコン配線器具。
【請求項２】
前記取付台は各取付面において複数個の前記リレー取付部が並ぶ方向である連接方向に複数個連接可能であって、前記信号端子部は、取付台の前面に凹設され前記連接方向に沿って延長された端子溝の底面に設けられており、端子溝は、長手方向の端面を取付台において取付台の連接時に隣接する取付台に突き合わされる側面に一致させるように延長されており、取付台の連接時に隣接する取付台の各信号端子部には、金属板からなり端子溝の底面に沿って配置される送り部材の各端部がそれぞれ端子ねじを用いて電気的に接続されることを特徴とする請求項１記載のリモコン配線器具。
【請求項３】
前記取付台の後面に凹設された保持溝内に差し込まれる係合爪と、前記リレーユニットの装着時に前記一方向において対応する係合爪との間に取付台および各１個のリレーユニットを挟持する保持爪とを有し、前記制御盤の後壁に取り付けられることにより前記本体ユニットおよびリレーユニットを制御盤内に保持する連接取付板を備え、一方の前記取付面側に装着されたリレーユニットを保持する連接取付板と、他方の取付面側に装着されたリレーユニットを保持する連接取付板とは一体に形成されていることを特徴とする請求項１または請求項２に記載のリモコン配線器具。
【請求項４】
前記一方向に並ぶ一対の前記保持爪は互いに近づく向きにそれぞればね付勢されており、各係合爪は対応する保持爪に近づく向きにそれぞればね付勢されていることを特徴とする請求項３記載のリモコン配線器具。
【請求項５】
前記リレー取付部と前記リレーユニットとは、互いに突き合わされ、一方の対向面に突設された結合突起が他方の対向面に凹設された結合溝に差し込まれた状態でリレーユニットを前記取付面に沿って移動させることにより結合され、前記本体ユニットとリレーユニットとは、結合突起の先端面と結合溝の底面とにおいてリレーユニットの装着時に互いに対向する各部位にそれぞれ設けられ、少なくとも一方が他方に近づく向きにばね付勢された接触端子によって電気的に接続されることを特徴とする請求項１ないし請求項４のいずれか１項に記載のリモコン配線器具。
【発明の詳細な説明】
【技術分野】
【０００１】
本発明は、スイッチのオンオフ情報を含む伝送信号が信号線を通して伝送されることによりスイッチのオンオフがリレーの開閉に反映されるリモコン配線器具に関するものである。
【背景技術】
【０００２】
従来から、負荷の遠隔監視制御を行うために信号線を通してスイッチのオンオフ情報を含む伝送信号を伝送し、負荷の電源を入切するリレーを伝送信号によって開閉させる技術が知られている。スイッチとしては、人が実際に操作するスイッチだけではなく、種々のセンサの検知結果に呼応してオンオフされる接点信号を出力する自動スイッチもある。
【０００３】
この種の遠隔監視制御システムとして、たとえば、スイッチを備える監視端末器と負荷への電源を入切するリレーが接続される制御端末器とを端末装置として備え、伝送ユニットをセンタ装置として備える集中制御システムが知られている。伝送ユニットと監視端末器と制御端末器とは２線式の信号線に接続されており、監視端末器および制御端末器に設定されているアドレスを用いて伝送ユニットが監視端末器および制御端末器を各別に認識する。一般的には１台の制御端末器で最大４個のリレーを制御することができる（たとえば、特許文献１参照）。
【０００４】
上述した遠隔監視制御システムのうち、制御するリレーの個数が比較的少ない小規模用のものでは、図１４に示すように、伝送ユニットの機能を備えた本体ユニット１にリレーを有したリレーユニット６を着脱可能に接続することにより構成されるリモコン配線器具（以下では「親器Ａ」という）を用いることが考えられている。親器Ａは、制御端末器を用いることなくリレーユニット６のリレーを制御することができる。つまり、制御するリレーの個数が親器Ａに装着可能なリレーユニット６の個数の範囲内であれば、親器Ａに対して２線式の信号線１４を用いて監視端末器を接続することにより遠隔監視制御システムを構築でき、監視端末器に設けたスイッチの操作を親器Ａに設けたリレーユニット６のリレーの入切に反映させることができる。
【０００５】
さらに、制御するリレーの個数が親器Ａに装着可能なリレーユニット６の個数の範囲を超える場合には、制御端末器の機能を備えた本体ユニット１にリレーユニット６を接続することにより構成されるリモコン配線器具（以下では「子器Ｂ」という）を親器Ａと併せて用いる。つまり、伝送ユニットの機能を備えた親器Ａに対して２線式の信号線１４を用いて子器Ｂを接続することにより、監視端末器に設けたスイッチの操作を子器Ｂに設けたリレーユニット６のリレーの入切に反映させることができる。親器Ａおよび子器Ｂは、壁面に取り付けられ前面が開放された箱状の制御盤Ｃ内に収納される。
【０００６】
また、親器Ａおよび子器Ｂにおいてはそれぞれ、図１４に示すように本体ユニット１の器体２を上下方向に長い直方体状の取付台３を備えた形状に形成し、取付台３の長手方向に沿ってリレーユニット６を複数個ずつ列設できるように、取付台３において長手方向に沿う一方の側面に複数個のリレーユニット６を装着可能とする。１台の制御端末器では最大４個のリレーを制御できるので、子器Ｂにおいては最大４個のリレーユニット６を配列可能とする。一方、親器Ａにおいては、図１４に示すように子器Ｂの２倍である最大８個のリレーユニット６を配列可能とする。なお、親器Ａの本体ユニット１の器体２においては、取付台３の長手方向の側方に左右方向に長い直方体状の側枠４を連続一体に備えた形状に形成される。
【０００７】
ところで、小規模用の遠隔監視制御システムでは、親器Ａおよび子器Ｂを収納する制御盤Ｃとして既製の分電盤を流用して用いるのが望ましいから、親器Ａおよび子器Ｂはそれぞれ、本体ユニット１にリレーユニット６を装着した状態で、いわゆる分電盤協約寸法（分電盤の内器の規格としてＪＩＳ規格に定められた寸法）になるように本体ユニット１およびリレーユニット６の寸法が設定される。しかも、１個のリレーユニット６の幅寸法（上下寸法）は分電盤協約寸法における単位寸法の１個分の寸法とされ、親器Ａの本体ユニット１における側枠４の幅寸法はリレーユニット６の２個分の幅寸法と等しくされる。
【特許文献１】特開昭６２−１９３４８６号公報
【発明の開示】
【発明が解決しようとする課題】
【０００８】
ところで、従来から普及している分電盤は左右方向に長い形状であることが多い。このような制御盤Ｃに対して、親器Ａおよび子器Ｂを、図１４に示すように互いの取付台３の長手方向を一致させる向きで取付台３の幅方向である左右方向に並設すると、以下の問題が生じる。すなわち、上述したリモコン配線器具においては、奇数台の子器Ｂを配置する場合に、図１４のように子器Ｂの下方に無駄なスペースが空くことになる。その結果、リモコン配線器具を収納するために必要以上に寸法の大きい制御盤Ｃを用いることになり、制御盤Ｃの占有スペースが大きくなるという問題が生じる。
【０００９】
本発明は上記事由に鑑みて為されたものであって、従来構成に比較して制御盤に対する収まりがよく、比較的小さい寸法の制御盤に収納することができるリモコン配線器具を提供することを目的とする。
【課題を解決するための手段】
【００１０】
請求項１の発明では、前面が開放された箱状の制御盤内に収納され、スイッチのオンオフ情報を含む伝送信号が信号線を通して伝送されることによりスイッチのオンオフでリレーの開閉が遠隔制御されるリモコン配線器具であって、前記信号線に電気的に接続される信号端子部を有した本体ユニットと、リレーを有し本体ユニットに設けた複数個のリレー取付部にそれぞれ着脱可能であって装着時に本体ユニットと電気的に接続される複数個のリレーユニットとを備え、本体ユニットは、制御盤内に取り付けられる直方体状の取付台を有し、取付台は、前面の一辺に沿う一方向に一対のリレー取付部が並ぶように、前記一方向の両端面である一対の取付面にリレー取付部が複数個ずつ列設されていることを特徴とする。
【００１１】
この構成によれば、取付台の両側にリレーユニットを複数個ずつ対称的に取り付けることができる。たとえば１２個のリレーユニットを装着する場合に、従来構成ではリレーユニットは８個と４個との２列に分けて配置されるから、少なくとも前記一方向に２列のリレーユニットおよび本体ユニットが収まり、かつ各取付面において複数個のリレー取付部が並ぶ他方向に８個のリレーユニットが収まる寸法の制御盤を用いる必要があるのに対して、請求項１の構成ではリレーユニットは取付台の両側に６個ずつ配置されるから、前記一方向の寸法を従来構成と同程度としながらも、前記他方向においてはリレーユニット２個分だけ従来構成よりも小さい寸法の制御盤を用いることができる。すなわち、請求項１の構成では、従来構成に比較して制御盤に対するリモコン配線器具の収まりがよくなり、リモコン配線器具を収納するために必要な制御盤の大きさを従来構成よりも小さくすることができる。あるいは、従来構成と同じ大きさの制御盤を用いてリモコン配線器具に隣接するスペースに他の配線器具を取り付けることも可能である。しかも、取付台の両側にリレーユニットを対称的に配置できるので、リレーユニットが非対称的に配置される場合に比べてリモコン配線器具の見映えがよくなる。
【００１２】
請求項２の発明は、請求項１の発明において、前記取付台が各取付面において複数個の前記リレー取付部が並ぶ方向である連接方向に複数個連接可能であって、前記信号端子部が、取付台の前面に凹設され前記連接方向に沿って延長された端子溝の底面に設けられており、端子溝が、長手方向の端面を取付台において取付台の連接時に隣接する取付台に突き合わされる側面に一致させるように延長されており、取付台の連接時に隣接する取付台の各信号端子部には、金属板からなり端子溝の底面に沿って配置される送り部材の各端部がそれぞれ端子ねじを用いて電気的に接続されることを特徴とする。
【００１３】
この構成によれば、前記連接方向に取付台を連接することにより、装着可能なリレーユニットの最大個数を増加させることができる。また、信号端子部が端子溝の底面に設けられているから、信号端子部に対して電線を接続する場合に端子溝を通して電線を引き回すことにより、取付台の前面からはみ出さずに電線を引き回すことができる。しかも、隣接する取付台の信号端子部同士の接続には送り部材を用いるので、端子ねじを用いて電線を信号端子部に接続すると同時に送り部材を信号端子部に接続することができ、結果的に、隣接する取付台の信号端子部同士を電線で接続する場合に比べて接続作業が容易になる。
【００１４】
請求項３の発明は、請求項１または請求項２の発明において、前記取付台の後面に凹設された保持溝内に差し込まれる係合爪と、前記リレーユニットの装着時に前記一方向において対応する係合爪との間に取付台および各１個のリレーユニットを挟持する保持爪とを有し、前記制御盤の後壁に取り付けられることにより前記本体ユニットおよびリレーユニットを制御盤内に保持する連接取付板を備え、一方の前記取付面側に装着されたリレーユニットを保持する連接取付板と、他方の取付面側に装着されたリレーユニットを保持する連接取付板とが一体に形成されていることを特徴とする。
【００１５】
連接取付板を用いて本体ユニットおよびリレーユニットを制御盤内に保持する構成において、取付台の両側に装着されるリレーユニットを保持する２枚の連接取付板が別体である場合には、制御盤に対して取り付けられた両連接取付板が相対的にずれていると、いずれか一方の連接取付板においては係合爪および保持爪が取付台およびリレーユニットを挟持できる位置からずれることになるので、本体ユニットおよびリレーユニットを確実に保持することができないという問題が生じる。しかし、別体である２枚の連接取付板を相対的にずれないように制御盤に取り付ける作業は手間がかかる。これに対して、請求項３の構成では、２枚の連接取付板が一体化されているので、両連接取付板が相対的にずれることはなく、係合爪および保持爪が取付台およびリレーユニットを挟持できる位置からずれることはないので、本体ユニットおよびリレーユニットを確実に保持することができる。結果的に、２枚の連接取付板が別体である場合に比べて制御盤に連接取付板を取り付ける作業の手間が軽減する。
【００１６】
請求項４の発明は、請求項３の発明において、前記一方向に並ぶ一対の前記保持爪が互いに近づく向きにそれぞればね付勢されており、各係合爪が対応する保持爪に近づく向きにそれぞればね付勢されていることを特徴とする。
【００１７】
この構成によれば、取付台および一対のリレーユニットが２枚の連接取付板に跨る一対の保持爪によって弾性保持されるだけでなく、取付台および各１個のリレーユニットが各連接取付板における係合爪および保持爪によってそれぞれ弾性保持されるので、本体ユニットおよびリレーユニットが確実に保持されることになる。
【００１８】
請求項５の発明は、請求項１ないし請求項４の発明において、前記リレー取付部と前記リレーユニットとが、互いに突き合わされ、一方の対向面に突設された結合突起が他方の対向面に凹設された結合溝に差し込まれた状態でリレーユニットを前記取付面に沿って移動させることにより結合され、前記本体ユニットとリレーユニットとが、結合突起の先端面と結合溝の底面とにおいてリレーユニットの装着時に互いに対向する各部位にそれぞれ設けられ、少なくとも一方が他方に近づく向きにばね付勢された接触端子によって電気的に接続されることを特徴とする。
【００１９】
この構成によれば、本体ユニットとリレーユニットとを差込式の端子によって電気的に接続する構成に比べて、小さい力でリレーユニットの着脱が可能になる。
【発明の効果】
【００２０】
本発明は、取付台の両側にリレーユニットを複数個ずつ対称的に取り付けることができる。たとえば１２個のリレーユニットを装着する場合に、従来構成ではリレーユニットは８個と４個との２列に分けて配置されるから、少なくとも前記一方向に２列のリレーユニットおよび本体ユニットが収まり、かつ各取付面において複数個のリレー取付部が並ぶ他方向に８個のリレーユニットが収まる寸法の制御盤を用いる必要があるのに対して、請求項１の構成ではリレーユニットは取付台の両側に６個ずつ配置されるから、前記一方向の寸法を従来構成と同程度としながらも、前記他方向においてはリレーユニット２個分だけ従来構成よりも小さい寸法の制御盤を用いることができる。すなわち、請求項１の構成では、従来構成に比較して制御盤に対するリモコン配線器具の収まりがよくなり、リモコン配線器具を収納するために必要な制御盤の大きさを従来構成よりも小さくすることができる。あるいは、従来構成と同じ大きさの制御盤を用いてリモコン配線器具に隣接するスペースに他の配線器具を取り付けることも可能である。しかも、取付台の両側にリレーユニットを対称的に配置できるので、リレーユニットが非対称的に配置される場合に比べてリモコン配線器具の見映えがよくなるという利点がある。
【発明を実施するための最良の形態】
【００２１】
以下の各実施形態では、リモコン配線器具を収納する制御盤として壁面に取り付けられ前面が開放された分電盤を例示し、制御盤の上下左右である図１（ａ）の上下左右を上下左右として説明する。
【００２２】
（実施形態１）
本実施形態のリモコン配線器具には、従来構成と同様に遠隔監視制御システムの構成要素のうち伝送ユニットの機能を備える親器Ａと、伝送ユニットの機能は備えずに制御端末器の機能を備える子器Ｂとがある。以下では親器Ａの構成を先に説明し、子器Ｂの構成を後で説明する。
【００２３】
親器Ａは、図１（ａ）に示すように、本体ユニット１の器体２が、上下方向に長い直方体状の取付台３と、左右方向に長い直方体状の側枠４とを、側枠４の左右方向における中央部の下面に取付台３の上端面を一致させる形で連続一体に備えた形状に形成される。取付台３と側枠４とは前後寸法（図１（ｂ）の上下寸法）が等しく、取付台３と側枠４とが連続することにより平面視においてＴ字状になる。本体ユニット１は、取付台３における前面の各辺がそれぞれ制御盤Ｃの底面（後壁の前面）の各辺に沿う向きに、後述する連接取付板５を用いて制御盤Ｃ内に保持される。
【００２４】
ところで、親器Ａの取付台３には、従来構成と同様に最大８個のリレーユニット６を配列することができる。ただし、本実施形態では、取付台３の左右両端面をそれぞれリレーユニット６が装着される取付面７（図２参照）とし、各取付面７にそれぞれ最大４個ずつのリレーユニット６を装着可能とした点が従来構成とは相違する。両取付面７には、図２に示すように、それぞれ４個ずつのリレー取付部としてのリレーソケット８が上下方向に列設されており、リレーユニット６は、各リレーソケット８にそれぞれ着脱可能に取り付けられる。ここで、左右方向に一対のリレーユニット６が並ぶように、リレーソケット８は一対の取付面７に対称的に形成されている。各リレーソケット８は、それぞれ前後方向に長い差込口が形成され、差込口内に刃受けばねからなる５個のソケット側端子９が差込口の長手方向に沿って列設されている。これらのソケット側端子９には後述するリレーユニット６のユニット側端子１０がそれぞれ差し込まれる。
【００２５】
本体ユニット１の前面には、端子ねじを備えた電源端子部１１と信号端子部１２とが設けられる。電源端子部１１には商用電源を供給する電源線１３が接続され、信号端子部１２には信号線１４（図１４参照）が接続される。また、電源端子部１１は側枠４の左端部に配置され、信号端子部１２は取付台３に配置される。すなわち、電源端子部１１と信号端子部１２とは離間するように配置される。さらに、側枠４の前面には、電源端子部１１に隣接して端子ねじを備えた接地用の接地端子部１５も設けられている。
【００２６】
リレーユニット６は、リレーを器体１６内に内蔵しており、図２に示すように器体１６から５本の差込式のユニット側端子１０が突設される。各ユニット側端子１０はリレーソケット８のソケット側端子９にそれぞれ差し込まれ、本体ユニット１にリレーユニット６が電気的かつ機械的に結合される。本実施形態では、５本のユニット側端子１０のうち２本がリレーの巻線に接続されたコイル端子であって、他の３本のユニット側端子１０は接点に連動する補助接点（図示せず）に接続され接点の開閉を検出するために用いられる補助端子である。さらに、補助端子のうち２本のユニット側端子１０は器体１６内で互いに接続されることにより検出端子としても機能し、本体ユニット１は、検出端子に対応する一対のソケット側端子９間の短絡・開放を監視することによって、リレーユニット６が装着されているか否かを判断する。
【００２７】
リレーユニット６の器体１６においてユニット側端子１０が突設された面とは反対側になる面には端子ねじを有した負荷端子１７が配列される。ここで、本体ユニット１の電源端子部１１はリレーユニット６の負荷端子１７に隣接することになり、本体ユニット１においては電源端子部１１と信号端子部１２とを離間して配置してあるので、本体ユニット１にリレーユニット６を装着した状態で電源端子部１１および負荷端子１７に接続される電源線１３と、信号端子部１２に接続される信号線１４との絶縁距離を比較的大きくとることができる。また、リレーユニット６の器体１６の前面には内蔵したリレーの開閉を手動で行うことができるように、手動レバー１８が設けられている。
【００２８】
一方、子器Ｂにおいては、本体ユニット１の器体２が、親器Ａの側枠４に相当する部分が省略され取付台３のみを備えた形状に形成される。ここで、図３に示すように、子器Ｂにおいても親器Ａと同様に、取付台３の左右両端面をそれぞれリレーユニット６が装着可能な取付面７としており、最大４個のリレーユニット６を装着可能とするように、各取付面７にリレーソケット８が２個ずつ形成されている。リレーソケット６およびリレーソケット８の構成は親器Ａと同様である。親器Ａと子器Ｂとは、図１に示すように、両者の取付台３における上下方向に沿う中心線を一致させる形で、上下方向（連接方向）に連接される。
【００２９】
さらに、子器Ｂの取付台３の前面には信号線１４を接続するための端子ねじ付きの信号端子部１２が形成される。上述のように子器Ｂは制御端末器としての機能を有しており、アドレスが設定される。子器Ｂのアドレスは取付台３の前面に配置したアドレス設定つまみ１９を回転させることによって選択する。
【００３０】
ところで、本実施形態の親器Ａおよび子器Ｂはそれぞれ、本体ユニット１にリレーユニット６を装着した状態で、いわゆる分電盤協約寸法（分電盤の内器の規格としてＪＩＳ規格に定められた寸法）になるように本体ユニット１およびリレーユニット６の寸法を設定してある。しかも、１個のリレーユニット６の幅寸法（上下寸法）は分電盤協約寸法における単位寸法の１個分の寸法であり、親器Ａの本体ユニット１における側枠４の幅寸法はリレーユニット６の２個分の幅寸法と等しくしてある。したがって、親器Ａにおいては、８個のリレーユニット６を装着した状態で分電盤協約寸法における単位寸法の１２個分（左右方向に２個分、上下方向に６個分）に相当する寸法になり、子器Ｂにおいては、４個のリレーユニットを装着した状態で分電盤協約寸法における単位寸法の４個分（左右方向に２個分、上下方向に２個分）に相当する寸法になる。言い換えると、左右方向において分電盤協約寸法の単位寸法の２個分に相当し、かつ上下方向において分電盤協約寸法の単位寸法の８個分に相当するスペースがあれば１２個のリレーユニット６を装着した親器Ａおよび子器Ｂを制御盤Ｃに収納することができる。
【００３１】
要するに、１２個のリレーユニット６を装着する場合に、図１４に示した従来構成ではリレーユニット６が８個と４個との２列に分けて配置されるのに対して、本実施形態では、上述したように取付台３の左右両端面をリレーソケット８が形成された取付面７としたことによって、リレーユニット６が取付台３の両側に６個ずつ対称的に配置されることになる。その結果、本実施形態の構成によれば、左右方向の寸法を従来構成と同程度にしながらも、上下方向においては２個のリレーユニット６の分だけ従来構成よりも小さい制御盤Ｃを用いることができる。ただし、本実施形態では、従来構成と同じ大きさの制御盤Ｃを用いることにより、子器Ｂの下方に他の配線器具を取付可能なスペースを確保している。
【００３２】
また、本体ユニット１およびリレーユニット６を制御盤Ｃ内に保持する連接取付板５は、親器Ａと子器Ｂとで共通であって、図１（ｂ）に示すように、取付台３の後面における左右方向の中央部に凹設された保持溝２０内に差し込まれる係合爪２１と、リレーユニット６の装着時に左右方向において対応する係合爪２１との間に取付台３および各１個のリレーユニット６を挟持する保持爪２２とを有する。係合爪２１は、連接取付板５の一部が前方に立て起こされて成り、先端部が対応する保持爪２２に向かって折曲された形状に形成されており、保持爪２２としては、対応する係合爪２１に向かって付勢されたばねを用いている。係合爪２１および保持爪２２は、親器Ａにおいては上下方向に６個ずつ並設され、子器Ｂにおいては上下方向に２個ずつ並設される。ただし、親器Ａにおいて上側の２個の係合爪２１および保持爪２２は側枠４を挟持する。
【００３３】
さらに、本実施形態では、取付台３の両側にリレーユニット６を装着する構成に対応するように、左右方向に並設される一対の連接取付板５を用いる。ここで、両連接取付板５は互いに密接して配置される。これに対して、図１４に示した従来構成では、親器Ａの連接取付板５と子器Ｂの連接取付板５とは、親器Ａと子器Ｂとの間に両者の信号端子部１２同士を接続する信号線１４を引き回すスペースを確保するために、隙間ｓを空けて左右方向に並設されている。すなわち、本実施形態のほうが従来構成に比べて左右方向におけるリモコン配線器具の占有スペースを隙間ｓの分だけ小さくなる。以下に、リモコン配線器具を制御盤Ｃ内に取り付ける手順を説明する。
【００３４】
まず、各連接取付板５の固定用孔２４（図２参照）に挿通される固定用ねじ２５を用いて両連接取付板５を制御盤Ｃの後壁に固定する。次に、係合爪２１が保持溝２０内に差し込まれるように本体ユニット１を連接取付板５に取り付ける。ここで、図４に示すように、保持溝２０は本体ユニット１の上下両端間にわたって形成されており、保持溝２０の長手方向の一端部から両連接取付板５の係合爪２１が挿入されるように本体ユニット１を上下方向に直進移動させることによって、一対の係合爪２１が保持溝２０内に案内される。このとき、互いに離れる向きに延長された両係合爪２１の先端部が保持溝２０の両側面に設けた係合溝２３に係合することになる。このように、両係合爪２１の先端部が係合溝２３に係合することにより、本体ユニット１は、リレーユニット６が装着されていなくても連接取付板５によって制御盤Ｃ内に保持される。その後、リレーユニット６が以下の手順で取り付けられる。
【００３５】
リレーユニット６は、図５に示すように、まずユニット側端子１０を本体ユニット１の取付台３に向けた状態で、器体１６におけるユニット側端子１０が突出した面と前面との間の角部がリレーソケット８に挿入される。つまり、リレーユニット６は、まず取付台３に対して傾いた状態で一部がリレーソケット８に挿入される。次いで、リレーユニット６の器体１６におけるユニット側端子１０が突出した面の全面がリレーソケット８に挿入される。このとき、リレーユニット６の器体１６は、ユニット側端子１０が突出した面と前面との間の角部におけるリレーソケット８との接触部位を支点として回転する。つまり、リレーユニット６は、本体ユニット１に対して直線的に差し込まれるのではなく、回転を伴って差し込まれることになる。これにより、リレーユニット６を本体ユニット１に装着するだけで、リレーユニット６の後端部において取付台３から遠い側の側面に凹設した保持穴２６（図２参照）に保持爪２２が挿入され、対応する係合爪２１と保持爪２２との間に本体ユニット１および各１個のリレーユニット６が挟持されることになる。
【００３６】
また、取付台３の前面における左右方向の中央部には、上下方向に沿って延長された端子溝２７が形成されている。端子溝２７は左右方向に２本並設されており、それぞれの上端部における底面に上述した信号端子部１２が設けられている。さらに、親器Ａと子器Ｂとを図１（ａ）のように上下方向に連接した状態で、親器Ａの端子溝２７と子器Ｂの端子溝２７とが連続するように、親器Ａの端子溝２７は下端面が取付台３の下端面に一致するように形成され、子器Ｂの端子溝２７は取付台３の上下両端間にわたって形成されている。これにより、親器Ａの信号端子部１２に対して信号線１４を結線した場合に、親器Ａの端子溝２７と子器Ｂの端子溝２７を通して信号線１４を引き回すことによって、取付台３の前面からはみ出さないように信号線１４を引き回すことができる。
【００３７】
さらに、本実施形態では、親器Ａの信号端子部１２と子器Ｂの信号端子部１２とを電気的に接続するために、従来構成のような電線からなる信号線１４ではなく図６のように金属板からなる送りバー２８（送り部材）を用いる。送りバー２８は、端子溝２７と同程度の長さに延長されており、端子溝２７の底面に沿って端子溝２７内に配置される。送りバー２８の長手方向の両端部にはそれぞれＵ字状の切込２９が形成されている。ここで、一方の切込２９に親器Ａ側の信号端子部１２の端子ねじを通し、他方の切込２９に子器Ｂ側の信号端子部１２の端子ねじを通した状態で両端子ねじを締め付ければ、送りバー２８の各端部にそれぞれ信号端子部１２が接続され、信号端子部１２同士が電気的に接続されることになる。要するに、親器Ａと子器Ｂとを上下方向に連接し、送りバー２８を端子溝２７内に配置しておけば、端子ねじを用いて信号端子部１２に信号線１４を接続すると同時に送りバー２８によって信号端子部１２同士を接続することができるので、親器Ａと子器Ｂとの接続作業が比較的容易になる。
【００３８】
なお、本実施形態では、リレーユニット６を８個まで装着可能な親器Ａと、リレーユニット６を４個まで装着可能な子器Ｂとを連接することによって、最大１２個のリレーユニット６を装着可能としているが、子器Ｂの下方のスペースにさらに別の子器Ｂを連接してもよく、この場合には最大１６個のリレーユニット６が装着可能となる。また、取付台３を上下方向に延長することによって１個の取付台３に取付可能なリレーユニット６の最大個数を増やすことも可能であって、図７に示す親器Ａでは、片側８個ずつ、合計１６個のリレーユニット６を装着することができるように取付台３を構成してある。
【００３９】
（実施形態２）
本実施形態のリモコン配線器具は、連接取付板５の構成が実施形態１のリモコン配線器具と相違する。
【００４０】
仮に、取付台３の両側に装着されるリレーユニット６を保持する２枚の連接取付板５が別体であって、制御盤Ｃに固定された両連接取付板５が相対的にずれていたとすれば、一方の連接取付板５において係合爪２１と保持爪２２との間に取付台３およびリレーユニット６を挟持した状態で、他方の連接取付板５においては係合爪２１および保持爪２２が取付台３およびリレーユニット６を挟持できる位置からずれることになり、本体ユニット１およびリレーユニット６を確実に保持できなくなる。ここでいう両連接取付板５の相対的なずれとは、たとえば、一方の連接取付板５の保持爪２２と他方の連接取付板５の保持爪２２との間の距離ａ（図８（ｂ）参照）が正常な場合よりも広くなる状態等を意味する。これに対して、本実施形態では、図８に示すように、取付台３の両側に装着されるリレーユニット６を保持する２枚の連接取付板５が連続一体に形成されている。したがって、両連接取付板５が相対的にずれることはなく、本体ユニット１およびリレーユニット６を確実に保持することができる。
【００４１】
ここにおいて、両連接取付板５の境界部分には上下方向に沿って延長された分割溝３０が形成される。分割溝３０は、図８（ｃ）に示すように、上下方向に直交する断面がＶ字状に形成される。この分割溝３０に沿って連接取付板５を折曲すれば、特に道具を用いなくとも両連接取付板５を分割することができる。分割後の各連接取付板５は、図１４に示した従来構成のように両連接取付板５が隙間ｓを空けて並設されるリモコン配線器具等に用いることができる。
【００４２】
さらに、図９に示すように、係合爪２１として対応する保持爪２２に近づく向きに付勢されたばねを用いてもよく、この構成では、係合爪２１が取付台３の保持溝２０の側面に対して押し付けられることになり、保持溝２０内での係合爪２１のぐらつきを抑制することができる。要するに、図９の連接取付板５を用いれば、取付台３および各１個のリレーユニット６が各連接取付板５における係合爪２１および保持爪２２によってそれぞれ弾性保持されることになり、本体ユニット１およびリレーユニット６がぐらつくことなく保持されることになる。
【００４３】
なお、本実施形態では親器Ａの連接取付板５を例示したが、子器Ｂの連接取付板５においても同様の構成を適用することができる。また、取付台３の両側に装着されるリレーユニット６を保持する２枚の連接取付板５が別体であっても、図９のように係合爪２１として、対応する保持爪２２に近づく向きに付勢されたばねを用いる構成を適用することができる。その他の構成および機能は実施形態１と同様である。
【００４４】
（実施形態３）
本実施形態のリモコン配線器具は、本体ユニット１とリレーユニット６とを結合する構造が実施形態１とは相違する。
【００４５】
本実施形態では、図１０に示すように、リレーユニット６においてリレーソケット８に突き合わされる面に結合突起３１が突設され、リレーソケット８においてリレーユニット６に突き合わされる面に結合溝３２が凹設されている。結合突起３１と結合溝３２とはそれぞれ前後方向（図１０の上下方向）に延長されており、結合突起３１の長手方向の一部には先端部から上下方向にそれぞれ突出した係止片３３が設けられ、結合溝３２の長手方向の一部には両側面の開口側の端部から互い近づく向きに突出した案内片３４が設けられる。
【００４６】
上述した構成によれば、結合突起３１における係止片３３を結合溝３２の長手方向において案内片３４が設けられていない部位に合わせ、リレーユニット６をリレーソケット８側に移動させることによって、図１１（ａ）に示すように結合突起３１が結合溝３２に差し込まれた状態とすることができる。この状態で、リレーユニット６を後方に直進移動させる（図中矢印で示す）と、係止片３３が案内片３４に係止されることにより本体ユニット１から離れる向きのリレーユニット６の移動が禁止され、図１１（ｂ）に示すように本体ユニット１にリレーユニット６が結合される。ここで、本体ユニット１が連接取付板５に保持されていれば、リレーユニット６が本体ユニット１に結合されると同時に連接取付板５の保持爪２２がリレーユニットの保持穴２６に嵌合することになる。リレーユニット６を本体ユニット１から取り外す場合には、先にリレーユニット６を前方に直進移動させてから、リレーユニット６をリレーソケット８から離す向きに移動させる。
【００４７】
この構成では、ユニット側端子１０およびソケット側端子９を実施形態１のように差込式とすることはできないので、ここでは、結合突起３１の先端面と結合溝３２の底面とのそれぞれに設けた接触端子をそれぞれユニット側端子１０、ソケット側端子９としている。ここにおいて、図１２に示すように、ソケット側端子９には金属片の一部を結合溝３２の底面から露出させた形の接触端子を用い、ユニット側端子１０にはソケット側端子９に向かってばね付勢された接触端子を用いているが、ソケット側端子９とユニット側端子１０とは逆の構成であってもよい。本実施形態の構成によれば、本体ユニット１とリレーユニット６とを差込式の端子によって電気的に接続する構成に比べて、小さい力でリレーユニット６の着脱が可能になるという利点がある。
【００４８】
また、リレーユニット６の取付時においてリレーユニット６を後方に直進移動させる際の移動量が不十分だと、リレーユニット６がリレーソケット８に確実に結合されずソケット側端子９とユニット側端子１０とが非接触となる可能性があるので、リレーユニット６がリレーソケット８に確実に結合された状態で互いに嵌合する凹凸部（図示せず）をリレーユニット６とリレーソケット８とのそれぞれに形成しておくことが望ましい。
【００４９】
なお、本実施形態ではリレーユニット６に結合突起３１を設けリレーソケット８に結合溝３２を設けているが、リレーユニット６に結合溝３２を設けリレーソケット８に結合突起３１を設けた構成としてもよい。また、本実施形態では、親器Ａの本体ユニット１およびリレーユニット６を例示したが、子器Ｂの本体ユニット１およびリレーユニット６についても同様の構成を適用することができる。その他の構成および機能は実施形態１と同様である。
【００５０】
（実施形態４）
本実施形態のリモコン配線器具は、図１３に示すように、本体ユニット１の器体２において、取付台３の後端部（図１３の下端部）から左右両側方にそれぞれ延出された一対の保持台３５を取付台３と連続一体に形成した点が実施形態１とは相違する。
【００５１】
保持台３５は左右方向の寸法がリレーユニット６と同程度に形成されており、リレーユニット６は取付台３と保持台３５とに囲まれた部位に保持されることになる。保持台３５の前面には結合溝３２が凹設され、リレーユニット６の背面には結合突起３１が突設されている。結合溝３２および結合突起３１はそれぞれ左右方向に延長されている。この結合溝３２および結合突起３１は、実施形態３において説明した結合溝３２および結合突起３１と同様の機能を有するものであるから詳しい説明は省略する。
【００５２】
要するに、結合突起３１における係止片３３を結合溝３２の長手方向において案内片３４が設けられていない部位に合わせ、リレーユニット６を後方に移動させた後、リレーユニット６をリレーソケット８側に直進移動させると、係止片３３が案内片３４に係止されることにより保持台３５から離れる向きのリレーユニット６の移動が禁止され、本体ユニット１にリレーユニット６が結合されることになる。ここにおいて、リレーユニット６の前面において取付台３側の端部には取付台３側に延長された嵌合爪３７が設けられており、リレーユニット６が本体ユニット１に結合された状態で、取付台３の前面に設けた嵌合穴３８に嵌合爪３７が嵌合する。また、本実施形態ではユニット側端子１０およびソケット側端子９を実施形態１と同様に差込式としてある。
【００５３】
さらに、保持台３５における結合溝３２の底面には固定用ねじ２５を通す透孔３６が貫設されており、本実施形態の本体ユニット１は固定用ねじ２５を用いて制御盤Ｃの後壁に直接固定することができる。要するに、本実施形態では連接取付板５が不要であって、制御盤Ｃに対して取り付ける部品点数が従来構成に比べて連接取付板５の分だけ少なくなるので、制御盤Ｃに対するリモコン配線器具の取付作業が比較的容易になる。
【００５４】
なお、本実施形態では、子器Ｂの本体ユニット１およびリレーユニット６を例示したが、親器Ａの本体ユニット１およびリレーユニット６についても同様の構成を適用することができる。その他の構成および機能は実施形態１と同様である。
【図面の簡単な説明】
【００５５】
【図１】本発明の実施形態１を示し、（ａ）は正面図、（ｂ）は下面図である。
【図２】同上に用いる親器を示す斜視図である。
【図３】同上に用いる子器を示す斜視図である。
【図４】同上の本体ユニットの取付手順を示す説明図である。
【図５】同上のリレーユニットの取付手順を示す説明図である。
【図６】同上に用いる送りバーを示す平面図である。
【図７】同上に用いる親器の他の構成例を示す斜視図である。
【図８】本発明の実施形態２に用いる連接取付板を示し、（ａ）は下面図、（ｂ）は正面図、（ｃ）は要部の下面図である。
【図９】同上に用いる連接取付板の他の構成例を示し、（ａ）は下面図、（ｂ）は正面図である。
【図１０】本発明の実施形態３に用いる親器の要部を示す斜視図である。
【図１１】同上のリレーユニットの取付手順を示す説明図である。
【図１２】同上の要部を示す平面図である。
【図１３】本発明の実施形態４に用いる子器を示す斜視図である。
【図１４】従来例を示し、（ａ）は正面図、（ｂ）は下面図である。
【符号の説明】
【００５６】
１  本体ユニット
３  取付台
５  連接取付板
６  リレーユニット
７  取付面
８  リレーソケット（リレー取付部）
９  ソケット側端子
１０  ユニット側端子
１２  信号端子部
２０  保持溝
２１  係合爪
２２  保持爪
２７  端子溝
２８  送りバー（送り部材）
３１  結合突起
３２  結合溝
Ｃ  制御盤
【図１】
2006333147.tif 000003
【図２】
2006333147.tif 000004
【図３】
2006333147.tif 000005
【図４】
2006333147.tif 000006
【図５】
2006333147.tif 000007
【図６】
2006333147.tif 000008
【図７】
2006333147.tif 000009
【図８】
2006333147.tif 000010
【図９】
2006333147.tif 000011
【図１０】
2006333147.tif 000012
【図１１】
2006333147.tif 000013
【図１２】
2006333147.tif 000014
【図１３】
2006333147.tif 000015
【図１４】
2006333147.tif 000016